(57)【要約】【課題】押込み部の径がプーリに圧入された軸の径よりも大きい場合であっても、プーリを軸から抜き出すことができるプーリ抜き工具を提供する。【解決手段】軸８が圧入されたプーリ５を軸８から抜き出すプーリ抜き工具であって、基部１と、基部１に貫通して設けられ、回転することで基部１に対して垂直方向に進退可能な押込み部２と、基部１の端部に基端部が回動可能に設けられ、先端部がプーリ５を係止する２本の挟持腕３と、押込み部２の先端部に着脱可能に設けられ、押込み部２の径より小さい径に形成された当接体７とを備え、挟持腕３でプーリ５を係止し、当接体７を軸８に当接させたまま、押込み部２を回転させて、押込み部２を基部１に対してプーリ５側に移動させることで、プーリ５から軸８を押し出して、軸８からプーリ５を抜き出す。【選択図】図１
2009000780.tif 000002
【特許請求の範囲】
【請求項１】
軸が圧入されたプーリを前記軸から抜き出すプーリ抜き工具であって、
基部と、
前記基部に貫通して設けられ、回転することで前記基部に対して垂直方向に進退可能な押込み部と、
前記基部の端部に基端部が回動可能に設けられ、先端部が前記プーリを係止する複数の挟持腕と、
前記押込み部の先端部に着脱可能に設けられ、前記押込み部の径より小さい径に形成された当接体とを備え、
前記挟持腕で前記プーリを係止し、前記当接体を前記軸の端面に当接させたまま、前記押込み部を回転させて、前記押込み部を前記基部に対して前記プーリ側に移動させることで、前記プーリから前記軸を押し出して、前記プーリを前記軸から抜き出すことを特徴とするプーリ抜き工具。
【請求項２】
前記押込み部の先端部と前記当接体とは、螺着されていることを特徴とする請求項１に記載のプーリ抜き工具。
【請求項３】
前記挟持腕は、互いに対向して一対に配置されていることを特徴とする請求項１または請求項２に記載のプーリ抜き工具。
【発明の詳細な説明】
【技術分野】
【０００１】
この発明は、基部と、この基部に貫通して設けられた押込み部と、基部の端部に設けられた複数の挟持腕とを備えたプーリ抜き工具に関する。
【背景技術】
【０００２】
従来、軸が圧入されたプーリを前記軸から抜き出すプーリ抜き工具であって、基部と、前記基部に貫通して設けられ、回転することで前記基部に対して垂直方向に進退可能な押込み部と、前記基部の端部に基端部が回動可能に設けられ、先端部が前記プーリを係止する一対の挟持腕とを備えたプーリ抜き工具が知られている（例えば、特許文献１参照）。
このプーリ抜き工具では、前記挟持腕で前記プーリを係止し、前記押込み部を前記軸の端面に当接させたまま、前記押込み部を回転させて、前記押込み部を前記基部に対して前記プーリ側に移動させることで、前記プーリから前記軸を押し出して、前記プーリを前記軸から抜き出す。
【０００３】
【特許文献１】特開２００１−１６２５５１号公報
【発明の開示】
【発明が解決しようとする課題】
【０００４】
しかしながら、このものの場合、押込み部の径が軸の径より大きいと、押込み部がプーリにも当接してしまい、押込み部を軸だけに当接させることができず、プーリを軸から抜き出すことができないという問題点があった。
【０００５】
この発明は、上述のような問題点を解決することを課題とするものであって、その目的は、押込み部の径が軸の径より大きい場合であっても、プーリを軸から抜き出すことができるプーリ抜き工具を提供するものである。
【課題を解決するための手段】
【０００６】
この発明に係るプーリ抜き工具は、軸が圧入されたプーリを前記軸から抜き出すプーリ抜き工具であって、基部と、前記基部に貫通して設けられ、回転することで前記基部に対して垂直方向に進退可能な押込み部と、前記基部の端部に基端部が回動可能に設けられ、先端部が前記プーリを係止する複数の挟持腕と、前記押込み部の先端部に着脱可能に設けられ、前記押込み部の径より小さい径に形成された当接体とを備え、前記挟持腕で前記プーリを係止し、前記当接体を前記軸の端面に当接させたまま、前記押込み部を回転させて、前記押込み部を前記基部に対して前記プーリ側に移動させることで、前記プーリから前記軸を押し出して、前記プーリを前記軸から抜き出す。
【発明の効果】
【０００７】
この発明に係るプーリ抜き工具によれば、押込み部の径が軸の径より大きい場合であっても、プーリを軸から抜き出すことができる。
【発明を実施するための最良の形態】
【０００８】
実施の形態１．
図１は実施の形態１に係るプーリ抜き工具を軸８が圧入されたプーリ５に取り付けたときの側面図、図２は図１の当接体７を除いたプーリ抜き工具の側面図、図３の（ａ）〜（ｃ）は図１の当接体７の側面図である。
実施の形態１に係るプーリ抜き工具は、板形状の基部１と、この基部１に貫通して設けられ、回転することで基部１に対して垂直方向に進退可能な押込み部２と、基部１の両端部であって、互いに対向した位置に設けられた一対の挟持腕３とを備えている。
挟持腕３は、基部１の端部に第１の回動軸４ａを介して一端部が回動可能に設けられた第１の挟持腕部３ａと、この第１の挟持腕部３ａの他端部に第２の回動軸４ｂを介して一端部が回動可能に設けられた第２の挟持腕部３ｂと、この第２の挟持腕部３ｂの他端部に第３の回動軸４ｃを介して一端部が回動可能に設けられた第３の挟持腕部３ｃとを有している。
第３の挟持腕部３ｃの他端部には、プーリ５を係止するために突出した爪部６が形成されている。
この挟持腕３は、第１の挟持腕部３ａ、第２の挟持腕部３ｂおよび第３の挟持腕部３ｃの回動角度を調節することで、様々な大きさの径のプーリ５に対して、爪部６により係止することができる。
【０００９】
押込み部２の先端部は、軸線方向に沿って雌ネジ部２ａが形成されている。
また、押込み部２の先端部には、押込み部２の径より小さい径に形成された当接体７が設けられている。当接体７の基端部には、押込み部２の雌ネジ部２ａと螺着可能な雄ネジ部７ａが形成されており、当接体７を回転させることで、簡単に当接体７を押込み部２に着脱することができる。
なお、押込み部２の先端部に軸線方向に沿って雄ネジ部を形成し、当接体７の基端部に押込み部２の雄ネジ部と螺着可能な雌ネジ部を形成してもよい。
当接体７は複数個用意されており、それぞれは、径および長さが異なるように形成されている。これにより、プーリ５に圧入された軸８の径に合わせて当接体７を選択することができ、当接体７をプーリ５に当接させずに、当接体７を軸８に当接させることができる。
当接体７の先端部には、軸線方向に突出した突起部７ｂが形成されている。この突起部７ｂを軸８の端面に形成された図示しない凹部に係合させることで、軸８の端面に対する当接体７の滑りを抑制することができる。
【００１０】
次に、実施の形態１に係るプーリ抜き工具を用いて、軸８が圧入されたプーリ５から軸８を抜き出す手順について説明する。
まず、軸８の径より小さい径に形成された当接体７を選択して、その当接体７を押込み部２の先端部に取り付ける。
次に、第１の挟持腕部３ａ、第２の挟持腕部３ｂおよび第３の挟持腕部３ｃの回動角度を調節し、爪部６にプーリ５の周縁部を係止させる。
さらに、押込み部２を一方向に回転させて、押込み部２を基部１に対してプーリ５側に移動させて、当接体７と軸８の端面とを当接させる。このとき、当接体７の突起部７ｂを軸８の端面の凹部に係合させて、軸８の端面に対して当接体７が滑らないようにする。
最後に、当接体７と軸８の端面とを当接させたまま、押込み部２を基部１に対してプーリ５側にさらに移動させることで、軸８をプーリ５から押し出して、プーリ５を抜き出す。
【００１１】
以上説明したように、実施の形態１に係るプーリ抜き工具によると、押込み部２の径がプーリ５に圧入された軸８の径より大きい場合であっても、軸８の径より小さい径に形成された当接体７を押込み部２の先端に取り付けることで、プーリ５から軸８を押し出して、プーリ５を軸８から抜き出すことができる。
【００１２】
また、当接体７は、押込み部２に螺着されているので、簡単に当接体７を押込み部２に着脱することができる。
【００１３】
また、一対の挟持腕３が互いに対向して配置されているので、挟持腕３は安定してプーリ５を係止することができる。
【００１４】
また、軸８が圧入されたプーリ５と軸８との間に、プーリ５および軸８に係合したキー９が設けられた場合であっても、キー９に当たらない大きさの径に形成された当接体７を選択し、押込み部２の先端部に当接体７を取り付けることで、当接体７をプーリ５およびキー９に当接させずに、当接体７を軸８の端面に当接させることができるので、プーリ５から軸８を押し出して、プーリ５を軸８から抜き出すことができる。
【図面の簡単な説明】
【００１５】
【図１】実施の形態１に係るプーリ抜き工具をプーリに取り付けたときの側面図である。
【図２】図１の当接体を除いたプーリ抜き工具の側面図である。
【図３】図３の（ａ）〜（ｃ）は図１の当接体の側面図である
【符号の説明】
【００１６】
１  基部、２  押込み部、２ａ  雌ネジ部、３  挟持腕、３ａ  第１の挟持腕部、３ｂ  第２の挟持腕部、３ｃ  第３の挟持腕部、４ａ  第１の回動軸、４ｂ  第２の回動軸、４ｃ  第３の回動軸、５  プーリ、６  爪部、７  当接体、７ａ  雄ネジ部、７ｂ  突起部、８  軸、９  キー。
【図１】
2009000780.tif 000003
【図２】
2009000780.tif 000004
【図３】
2009000780.tif 000005